(57)【要約】      （修正有）【課題】腰があって拭き布を被清浄物に圧接して密着させることができ、塵埃や油脂を確実に除去できるクリーナー及びこれを用いた開閉式ゲーム機を提供する。【解決手段】クリーナーＡは、腰のある材料により形成されたシート状の中間部材１と、この中間部材１と平面視同一形状であって該中間部材１の表裏両面全体を覆う一対の拭き布２１、２２と、を備え、中間部材１と一対の拭き布２１、２２とは、少なくとも周縁部３全周に亘って一体的に接合する。【選択図】図１
0003165174.tif 000002
【実用新案登録請求の範囲】
【請求項１】
腰のある材料により形成されたシート状の中間部材と、
この中間部材と平面視同一形状であって該中間部材の表裏両面全体を覆う一対の拭き布と、
を備え、
前記中間部材と前記一対の拭き布とは、少なくとも周縁部全周に亘って一体的に接合されていることを特徴とするクリーナー。
【請求項２】
中間部材および一対の拭き布は、平面視矩形状であり、カードケースに収納可能な大きさに形成されていることを特徴とする請求項１記載のクリーナー。
【請求項３】
中間部材および一対の拭き布は、平面視矩形状であり、開閉式ゲーム機の表示画面上に収納可能な大きさに形成されていることを特徴とする請求項１記載のクリーナー。
【請求項４】
表示画面を有するゲーム機本体と、前記表示画面を開閉自在に覆う蓋体とを備え、    
前記蓋体を閉じたとき、前記表示画面と前記蓋体との間に空間が形成される開閉式ゲーム機にあって、
前記空間内に、請求項１記載のクリーナーが収納されていることを特徴とする開閉式ゲーム機。
【考案の詳細な説明】
【技術分野】
【０００１】
本考案は、該被清掃物を確実に清掃することができるクリーナー及びこれを用いた開閉式ゲーム機に係り、特に、クリーナーは、腰のある材料により形成されたシート状の中間部材と、この中間部材と平面視同一形状であって該中間部材の表裏両面全体を覆う一対の拭き布と、を備えているものに関する。
【背景技術】
【０００２】
従来、例えば、眼鏡レンズや、テレビ、携帯電話、携帯用ゲーム機等の表示画面のガラス、或いはこれらのケースのプラスチック表面に付着した汚れを簡易に除去するものとして、清掃用の拭き布（ワイピングクロスともいう）が用いられてきた。
【０００３】
このような拭き布は、細かな塵埃や油脂を確実に除去できるよう、ポリエステルやナイロン等からなる極細の合成繊維を用いて織布されたものであり、例えば、特許文献１の請求項１に記載されているように、単糸繊度が０．３デニール以下の繊維が用いられている。
【先行技術文献】
【特許文献】
【０００４】
【特許文献１】特開２００１−１４６６５７号公報
【考案の概要】
【考案が解決しようとする課題】
【０００５】
しかしながら、上述したような拭き布にあっては、繊維が細い分、折曲強度が弱いために腰が無く、容易に変形して乱雑になりがちで、保管や持ち運びが非常に煩わしいという問題点があった。
【０００６】
本考案は、上述した問題点を解決するためになされたものである。
【課題を解決するための手段】
【０００７】
請求項１に係る考案は、腰のある材料により形成されたシート状の中間部材と、この中間部材と平面視同一形状であって該中間部材の表裏両面全体を覆う一対の拭き布と、を備え、前記中間部材と前記一対の拭き布とは、少なくとも周縁部全周に亘って一体的に接合されているクリーナーである。
【０００８】
請求項２に係る考案は、請求項１記載のクリーナーにおいて、中間部材および一対の拭き布は、平面視矩形状であり、カードケースに収納可能な大きさに形成されているものである。
【０００９】
請求項３に係る考案は、請求項１記載のクリーナーにおいて、中間部材および一対の拭き布は、平面視矩形状であり、開閉式ゲーム機の表示画面上に収納可能な大きさに形成されているものである。
【００１０】
請求項４に係る考案は、表示画面を有するゲーム機本体と、前記表示画面を開閉自在に覆う蓋体とを備え、前記蓋体を閉じたとき、前記表示画面と前記蓋体との間に空間が形成される開閉式ゲーム機にあって、前記空間内に、請求項１記載のクリーナーが収納されている開閉式ゲーム機である。
【考案の効果】
【００１１】
請求項１に記載のクリーナーによれば、腰のある材料により形成されたシート状の中間部材と、この中間部材と平面視同一形状であって該中間部材の表裏両面全体を覆う一対の拭き布と、を備えているため、中間部材に腰がある分、拭き布を被清浄物に圧接して密着させることができ、該被清掃物を確実に清掃することができる。
【００１２】
請求項２に記載の考案によれば、請求項１記載のクリーナーの効果に加え、中間部材および一対の拭き布は、平面視矩形状であり、カードケースに収納可能な大きさに形成されているため、持ち運びが容易であり、使用時にはカードケースから取り出して、素早く被清掃物を清掃することができ、非使用時にあっては、腰があるため型崩れせず、容易にカードケース内に収納することができる。
【００１３】
請求項３に記載の考案によれば、請求項１記載のクリーナーの効果に加え、中間部材および一対の拭き布は、平面視矩形状であり、開閉式ゲーム機の表示画面上に収納可能な大きさに形成されているため、開閉式ゲーム機の非使用時にあっては、クリーナーを表示画面上に載置して閉蓋することができ、場所をとらずに簡易かつ確実に保管することができる。
【００１４】
請求項４記載の考案によれば、表示画面を有するゲーム機本体と、前記表示画面を開閉自在に覆う蓋体とを備え、前記蓋体を閉じたとき、前記表示画面と前記蓋体との間に空間が形成される開閉式ゲーム機にあって、前記空間内に、請求項１記載のクリーナーが収納されているため、蓋体を開けば即座に該クリーナーを用いて表示画面を清掃することができ、しかも、開閉式ゲーム機の非使用時にあっては、クリーナーを表示画面上に載置して閉蓋することができ、場所をとらずに簡易かつ確実に保管することができる。
【図面の簡単な説明】
【００１５】
【図１】本考案の第１の実施例に係るクリーナーを示した概略的斜視図である。
【図２】図１の組み立て過程を示した概略的断面図であり、図２（ａ）は接合前の図を、図２（ｂ）は接合した状態の図を、それぞれ示している。
【図３】図１の変形例を示した概略的斜視図である。
【図４】図１のクリーナーをカードケースに挿入したときの概略的斜視図である。
【図５】図１の使用状態の一例を示した概略的斜視図である。
【図６】本考案の第２の実施例に係る開閉式ゲーム機を示した概略図であり、図６（ａ）はクリーナーを表示画面上に載置するときの斜視図を、図６（ｂ）は蓋体を閉じた後の側面図を、それぞれ示している。
【図７】図１の使用状態の他の例および図６の使用状態を示した概略的斜視図である。
【考案を実施するための形態】
【００１６】
本考案の第１の実施例について、図１〜図４を参照して説明する。図１において、Ａは、本考案に係るクリーナーであり、クリーナーＡは、例えば、被清掃物である眼鏡レンズや、テレビ、携帯電話、携帯用ゲーム機等の表示画面のガラス、或いはこれらのケースのプラスチック表面に付着した塵埃や油脂などの汚れを除去するもので、概略的に、中間部材１と、一対の拭き布２１、２２とにより構成されている。
【００１７】
中間部材１は、腰のある材料により形成されたシート状のものであり、例えば、ポリエチレンテレフタレート（ＰＥＴ）、ポリ塩化ビニル（ＰＶＣ）、ポリウレタン（ＰＵ）、ポリプロピレン（ＰＰ）、ポリエチレン（ＰＥ）、ポリスチレン（ＰＳ）、合成紙（合成樹脂を主原料として製造された紙）などを、厚さ０．０５ｍｍ〜０．５ｍｍのシート状に成形したものが用いられる。
【００１８】
一対の拭き布２１、２２は、前述の中間部材１と平面視同一形状であって該中間部材１の表裏両面全体を覆うものであり、この一対の拭き布２１、２２の内、少なくとも一方の拭き布は、外表面が単糸繊度１デニール以下の極細の合成繊維により形成されている。なお、合成繊維の材料は、例えば、ポリエステルやナイロンなどである。
【００１９】
そして、上述した中間部材１と一対の拭き布２１、２２とは、図１、図２（ａ）、（ｂ）に示したように、外形が対応するように重合され、少なくともその周縁部３全周に亘って一体的に接合されている（図１の斜線で図示した接合部４および図２（ｂ）の接合部４参照）。
【００２０】
なお、周縁部３における接合方法は、中間部材１の材質によって適宜選択することができ、例えば、中間部材１がＰＥＴなどの熱可塑性樹脂で形成されている場合には、超音波溶着や、縫糸を用いて縫合により接合したり、ＳＵＳ３０３、ＳＵＳ３０４のようなバネ性のあるステンレス鋼やアルミニウム等の金属シートで形成されている場合には、接着剤により接着して接合することができる。
【００２１】
また、接合部４は、図３に斜線で図示したように、中間部材１および一対の拭き布２１、２２の周縁部３に限られるものではなく、周縁部３以外の部位に設けるようにしてもよい。
【００２２】
ところで、クリーナーＡの外形は、図１、図３に示したような、平面視矩形状としたり、円形その他の形状（不図示）とすることができるが、好適な形状の一例は、持ち運びが容易であって簡易に収納できる点で、図４に示したように、中間部材１および一対の拭き布２１、２２を、平面視矩形状であり、カードケースｃに収納可能な大きさに形成するものである。また、好適な形状の他の例は、図６（ａ）、（ｂ）に示したように、開閉式ゲーム機ｇに使用する場合にあって、蓋体ｇ２を閉じたときにクリーナーＡを内包できるように、該開閉式ゲーム機ｇの表示画面ｇ３上に収納可能な大きさに形成するものである。なお、表示画面上に収納可能な大きさとは、表示画面と同じ大きさか、それよりも小さい大きさをいう。
【００２３】
次に、上述した第１の実施例のように構成されるクリーナーＡの使用例について、図５、図７を参照して説明する。
【００２４】
図５は、例えば、カードケースｃ（図４参照）に収納可能なクリーナーＡを、眼鏡ｍに使用した例であり、カードケースｃからクリーナーＡを取り出し、該クリーナーＡの拭き布２１または２２を、眼鏡ｍのレンズ表面に押し当てて擦ることにより、細かな塵埃や指紋などの油脂を容易に除去することができる。また、クリーナーＡは、腰があって型崩れしないため、非使用時にあっては、図４に示したように、容易にカードケースｃ内に挿入することができ、使い勝手がよい。
【００２５】
図７は、開閉式ゲーム機ｇ（図６参照）の表示画面ｇ３上に収納可能なクリーナーＡを、該開閉式ゲーム機ｇに使用した例であり、蓋体ｇ２を開いて表示画面ｇ３上に載置されたクリーナーＡを取り出し、該クリーナーＡの拭き布２１または２２をゲーム機本体ｇ１の表示画面ｇ３や蓋体ｇ２の表示画面ｇ３’に押し当てて擦ることにより、これら表示画面ｇ３、ｇ３’を清掃することができる。また、開閉式ゲーム機ｇの非使用時にあっては、図６（ａ）、（ｂ）に示したように、クリーナーＡを表示画面ｇ３上に載置して収納することができ、場所をとらずに簡易かつ確実に保管することができる。
【００２６】
次に、本考案の第２の実施例について図６（ａ）、（ｂ）を参照して説明する。図６（ａ）、（ｂ）において、Ｇは、本考案に係る開閉式ゲーム機の一例であり、開閉式ゲーム機Ｇは、概略的に、ゲーム機本体ｇ１と、蓋体ｇ２と、クリーナーＡとにより構成されている。
【００２７】
ゲーム機本体ｇ１は、図６（ａ）に示したように、表示画面ｇ３を有し、蓋体ｇ２は、この表示画面ｇ３を開閉自在に覆うもので、図６（ｂ）に示したように、蓋体ｇ２を閉じたとき、表示画面ｇ３と蓋体ｇ２との間に空間ｓが形成されるように構成されている。また、クリーナーＡは、上述した第１の実施例において記載したものであって、前述の空間ｓに収納できる大きさに形成され、該空間ｓ内に収納されている。なお、第２の実施例に係る開閉式ゲーム機Ｇは、空間ｓおよびクリーナーＡを備えている点を除けば、他は公知の開閉式ゲーム機と同じものである。
【００２８】
ところで、上述したように構成された第２の実施例に係る開閉式ゲーム機ＧにおけるクリーナーＡの使用方法にあっては、前述の第１の実施例において図７を参照して説明したものと同様であるため、その詳細な説明は省略する。
【符号の説明】
【００２９】
Ａ            クリーナー
ｃ            カードケース
ｇ、Ｇ        開閉式ゲーム機
ｇ１          ゲーム機本体
ｇ２          蓋体
ｇ３          表示画面
ｓ            空間
１            中間部材
２１、２２    拭き布
３            周縁部
【図１】
0003165174.tif 000003
【図２】
0003165174.tif 000004
【図３】
0003165174.tif 000005
【図４】
0003165174.tif 000006
【図５】
0003165174.tif 000007
【図６】
0003165174.tif 000008
【図７】
0003165174.tif 000009